(57)【要約】【課題】信頼性の高い給紙性能を確保することができる縦型給紙装置を提供する。【解決手段】傾斜底面２−１の下方側端部に給紙開口部３を有する縦型の給紙カセット２を備え、給紙カセット２内に自由状態で収容され用紙の座屈を防止すると共に用紙に分離圧を与える規制板４を有する縦型給紙装置１において、傾斜底面２−１と当接する規制板下端部に円弧部４−１を形成した。【選択図】        図１
2004168480.tif 000002
【特許請求の範囲】
【請求項１】
傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に円弧部を形成したことを特徴とする縦型給紙装置。
【請求項２】
傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に面押し加工部またはダレ面加工部を形成したことを特徴とする縦型給紙装置。
【請求項３】
傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に曲げ形状部を形成したことを特徴とする縦型給紙装置。
【請求項４】
傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に摺動部材を取り付けたことを特徴とする縦型給紙装置。
【請求項５】
傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に回転体を取り付けたことを特徴とする縦型給紙装置。
【発明の詳細な説明】
【０００１】
【発明の属する技術分野】
本発明は、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置に関する。
【０００２】
【従来の技術】
縦型の給紙カセット内に用紙を起立状態で収容し、下方に自重で送り出す縦型給紙装置は、省スペース化が望まれる昨今においてその設置性の多様さから横置きの給紙装置と比べ市場価値があると考えられる。また、用紙の自重を利用することで搬送負荷を低減でき、省エネ等にも寄与できると考えられる。
【０００３】
図７は従来の縦型給紙装置の取り付け状態を示す図、図８は図７に示す縦型給紙装置において用紙が満載された状態を示す図、図９は図７に示す縦型給紙装置において用紙が途中まで給紙された状態を示す図、図１０は図７に示す縦型給紙装置において用紙が空の状態を示す図である。図７に示すように、縦型給紙装置１は、本体１０の上部に取り付けられており、図８〜図１０に示すように用紙が順次本体１０内に給紙される。
【０００４】
図１０により従来の縦型給紙装置１を説明する。縦型給紙装置１は、傾斜底面２−１の下方側端部に給紙開口部３を有する縦型の給紙カセット２を備え、かつ給紙カセット２内に自由状態で収容され用紙の座屈を防止すると共に用紙に分離圧を与える規制板４を有する。
【０００５】
このような縦型給紙装置１において、用紙端面が傾斜底面２−１を滑りながら給紙開口部３に至り、自重で下方に給紙される。規制板４はこのとき用紙の座屈を防止する。また、規制板４の重量は用紙分離圧となるが、スプリング等による分離圧に比べて用紙残積載枚数による分離性能の変化がないので、一定水準の給紙性能を得ることができる。
【０００６】
また、類似の技術として、摩擦抵抗が増えて用紙の不送りを生ずることなく、給紙カセット内に立てて収納する積載シートの座屈を防止する特許文献１の「給紙装置」が知られている。
【０００７】
【特許文献１】
特開平７−３３２６２号公報
【０００８】
【発明が解決しようとする課題】
しかし従来の縦型給紙装置においては、規制板の下端部が底面に引っかかり、摩擦負荷が増大して底面の傾斜をうまく滑らない場合があり、給紙性能が低下するおそれがあった。
【０００９】
本発明は、信頼性の高い給紙性能を確保することができる縦型給紙装置を提供することを目的とする。
【００１０】
【課題を解決するための手段】
上記目的を達成するために、請求項１記載の発明は、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に円弧部を形成した縦型給紙装置を最も主要な特徴とする。
【００１１】
請求項２記載の発明は、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に面押し加工部またはダレ面加工部を形成した縦型給紙装置を最も主要な特徴とする。
【００１２】
請求項３記載の発明は、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に曲げ形状部を形成した縦型給紙装置を最も主要な特徴とする。
【００１３】
請求項４記載の発明は、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に摺動部材を取り付けた縦型給紙装置を最も主要な特徴とする。
【００１４】
請求項５記載の発明は、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に回転体を取り付けた縦型給紙装置を最も主要な特徴とする。
【００１５】
【発明の実施の形態】
以下、本発明の実施の形態を図面に従って説明する。なお、従来例と同一個所には同一符号を付して重複する説明は省略する。
【００１６】
図１は本発明の第１の実施の形態に係る縦型給紙装置の簡略構成図である。第１の実施の形態は、傾斜底面２−１と当接する規制板４の下端部に円弧部４−１を形成したものである。
【００１７】
図２は本発明の第２の実施の形態に係る縦型給紙装置における規制板を示す図である。第２の実施の形態は、傾斜底面２−１と当接する規制板４の下端部に面押し加工部４−２またはダレ面加工部４−３を形成したものである。
【００１８】
図３は本発明の第３の実施の形態に係る縦型給紙装置の簡略構成図である。第３の実施の形態は、傾斜底面２−１と当接する規制板４の下端部に曲げ形状部４−４を形成したものである。
【００１９】
図４は本発明の第４の実施の形態に係る縦型給紙装置の簡略構成図である。第４の実施の形態は、傾斜底面２−１と当接する規制板４の下端部に摺動部材５を取り付けたものである。
【００２０】
図５は本発明の第５の実施の形態に係る縦型給紙装置の簡略構成図、図６はその規制板の斜視図である。第５の実施の形態は、傾斜底面２−１と当接する規制板４の下端部に回転体６を取り付けたものである。
【００２１】
本発明では、上述した第１〜第５の実施形態に示すように、傾斜底面２−１と規制板４との当接部の摩擦係数を低下させているので、規制板４は用紙の減少に伴いこれに追随して円滑に傾斜底面２−１上を滑ることができ、その結果、用紙の座屈を確実に防止し、かつ適正な用紙分離圧を得ることができる。
【００２２】
【発明の効果】
以上説明したように本発明によれば、傾斜底面の下方側端部に給紙開口部を有する縦型の給紙カセットを備え、給紙カセット内に自由状態で収容され用紙の座屈を防止すると共に用紙に分離圧を与える規制板を有する縦型給紙装置において、傾斜底面と当接する規制板下端部に円弧部、曲げ形状部、摺動部材等の摩擦係数低減手段を設けたので、規制板の機能が損なわれることがなくなり、信頼性の高い給紙動作を行うことができる。
【図面の簡単な説明】
【図１】本発明の第１の実施の形態に係る縦型給紙装置の簡略構成図である。
【図２】本発明の第２の実施の形態に係る縦型給紙装置における規制板を示す図である。
【図３】本発明の第３の実施の形態に係る縦型給紙装置の簡略構成図である。
【図４】本発明の第４の実施の形態に係る縦型給紙装置の簡略構成図である。
【図５】本発明の第５の実施の形態に係る縦型給紙装置の簡略構成図である。
【図６】その規制板の斜視図である。
【図７】従来の縦型給紙装置の取り付け状態を示す図である。
【図８】図７に示す縦型給紙装置において用紙が満載された状態を示す図である。
【図９】図７に示す縦型給紙装置において用紙が途中まで給紙された状態を示す図である。
【図１０】図７に示す縦型給紙装置において用紙が空の状態を示す図である。
【符号の説明】
１  縦型給紙装置
２  給紙カセット
２−１  傾斜底面
３  給紙開口部
４  規制板
４−１  円弧部
【図１】
2004168480.tif 000003
【図２】
2004168480.tif 000004
【図３】
2004168480.tif 000005
【図４】
2004168480.tif 000006
【図５】
2004168480.tif 000007
【図６】
2004168480.tif 000008
【図７】
2004168480.tif 000009
【図８】
2004168480.tif 000010
【図９】
2004168480.tif 000011
【図１０】
2004168480.tif 000012